(57)【要約】      （修正有）【課題】油圧機器等を排し、従来型の加締装置より小型・軽量で携行に便利であり、加締後のホース金具寸法精度および真円度の向上と、高出力でありながら省エネルギー・省資源を達成した加締装置を提供する。【解決手段】２段カムを穿設したカムリング６とそれを回動させる手段として、スクリューナット１９・軸１６のセットとそれに回転を与える減速機付モータ１７を設置する。加締爪４には首振り機能をもたせる事により、小型、軽量化でしかも省エネルギーを達成することができるホース金具加締装置である。【選択図】図１
2009226442.tif 000002
【特許請求の範囲】
【請求項１】
後述するカムリングを回動させる駆動手段として、カムリングの外周側へフランジ部に長孔を穿設した動力伝達フランジを設け、そのフランジの長孔と連結するローラフォロアを装着したスクリューナットブラケットに、スクリューナット・スクリュー軸のセットを装着し、スクリュー軸のタイミングプーリ取付け側の軸端よりスラスト系の玉軸受を挿入しロックナット等にて固定したものを、動力装置取付け板の所定の孔位置に押えフランジにて固定する。上述の動力装置取付け板をベース板および加締装置取付け板にボルトで固定する時は、同時にスクリューナットブラケットに装着のローラフォロアを、カムリングに設けられた動力伝達フランジの長穴に嵌合しながら実施する。上述の動力装置取付け板と相対する形で、スクリュー軸端を支えるベアリングを収納するベアリングケース取付け板を同様に取付け、軸端にベアリングを挿入しベアリングケースにて保持し調整しながら固定する。次に減速機付モータを所定の位置に仮置きし、モータ出力軸およびスクリュー入力軸各別にタイミングプーリを装着し、タイミングベルトにて連結した後、その張り具合を調整し減速機付モータを固定する。
【請求項２】
ベース板の後端部へホース金具を通す貫通孔を設けた加締装置取付け板を立設、これと同心で同径の貫通孔を設け、その貫通孔から放射状に穿設された複数の爪ホルダー案内溝と、その案内溝の反時計回りの側面中央部に放射状内側へ向かって、爪ホルダーの原点復帰用スプリングを配置するための収納溝を穿設した円筒形の爪ホルダー案内盤を加締装置取付け板に固定し、この案内盤の爪案内溝へ後端部に複数個のカムフォロアを装着した縮径方向に摺動自在な爪ホルダーと、原点復帰用スプリングを各別に配設し、その爪ホルダーに装着されたカムフォロアと係合する形でその外周側へ、円筒形の内周側に複数箇所の２段カムが穿設された回動自在なカムリングを嵌合載置する。
【請求項３】
加締爪には、加締られるホース金具の周方向に首振り機能を持たした爪用コ
マを設ける。
【発明の詳細な説明】
【技術分野】
【０００１】
この発明はホースの端部に各種機器に配管を目的とした接続用継手金具類を、その外周上に挿入した金属製スリーブを加締めて固着させるホース金具加締装置に関する。
【背景技術】
【０００２】
従来、ホースの端部に各種機器に配管を目的とした接続用金具類をホース端部外周上に挿入した金属性スリーブを加締めて固着するホース金具加締装置として、現在まで各種の加締装置が提案されているが、その動力源として油圧ポンプで発生させた高圧の作動油で動作する油圧シリンダーを採用しており、そのロッドの押圧力で加締装置のカム等を駆動し、そのカムの動作が複数の加締爪を縮径移動させることによりホース金具加締が実施されている。例を挙げれば、加締爪をホース外周上に挿入した金属製スリーブの近くまで急速に移動させる手段としてエアーシリンダーを利用し、その後カムリングに装着のカムにて本加締めを実施する装置（特許文献１参照）がある。また上述のエアーシリンダーの役割を持つカム部のカム角度を６０度、本加締め用カムのカム角度を４５度に設定した装置
【特許文献２】がある。これらはいずれもエアーコンプレッサーおよび油圧ポンプ等を利用するため加締装置も含めて全体的に大型化・重量化することは避けられない、このため設置型としてなら多少床面の占有率が増加し、またエネルギーロスが出ても工場内のラインとして同一品種の大量加締作業が効率良く実施することで相殺されると考えられる。
【特許文献１】特開平０６―１７０４６７
【特許文献２】特開２００７―０１５００２
【発明の開示】
【発明が解決しようとする課題】
【０００３】
しかしながら、建機の修理等、現地施工を実施する場合は小型・軽量で携行できる事と、高圧ホース等の金具加締に対応した強力形の加締装置であることが必須の条件であり、また従来型の加締装置に採用されている油圧機器が使用する作動油・付属機器等のランニングコスト・またそれらによる環境負荷等の問題点があった。
【０００４】
本発明は油圧機器等を排し、従来型の加締装置より小型・軽量で携行に便利であり、加締後のホース金具寸法精度および真円度の向上と、高出力でありながら省エネルギー・省資源を達成した加締装置を提供することを目的とする。
【課題を解決するための手段】
【０００５】
上述の目的を達成するために本発明は次のような構成とした。
即ち、ベース板の後端部へホース金具を通す貫通孔を設けた加締装置取付け板を立設し、これと同心で同径の貫通孔を設け、その貫通孔から放射状に穿設された複数の爪ホルダー案内溝と、爪ホルダーの加締前原点復帰用スプリング収納溝とを形成した、円筒形の爪ホルダー案内盤を加締装置取付け板に固定し、この案内盤の爪案内溝に、後端部へ複数個のカムフォロアを装着した縮径方向に摺動自在な爪ホルダーと、原点復帰用スプリングを配設する。その爪ホルダーに装着されたカムフォロアの外周側上部と係合する複数の２段カムが穿設された回動自在なカムリングを嵌合載置し、加締装置カバーを取り付ける。
【０００６】
上述のカムリングを回動させるための駆動手段として、カムリングの外周側へフランジ部に長孔を穿設した動力伝達フランジを設け、そのフランジの長穴と連結するローラフォロアを装着したスクリューナットブラケットに、スクリューナット・スクリュー軸のセットを装着し、スクリュー軸のタイミングプーリ装着側の軸端よりスラスト系の玉軸受を挿入しロックナット等で締め付け固定したものを動力装置取付け板の所定の孔位置に押えフランジにて固定する。上述の動力装置取付け板をベース板および加締装置取付け板に固定する時は、同時にスクリューナットブラケットに装着しているローラフォロアをカムリングに設けられた動力伝達フランジの長孔に嵌合しながら実施する。上述の動力装置取付け板と相対する形で、スクリュー軸端を支えるベアリングを収納するベアリングケース取付け板を同様に固定する。次に減速機付モータを所定の位置に仮置きし、モータ出力軸およびスクリュー入力軸各別にタイミングプーリを装着し、タイミングベルトにて連結した後、その張り具合を調整しながら減速機付モータを固定する。爪ホルダーには加締められるホース金具の周方向に首振り機能を持ったコマを装着した加締爪を各別に配設する。本発明は以上の構成をもって特徴とする。
【発明の効果】
【０００７】
上述した本発明によれば、カムリングの内周側に穿設された２段カムの内、急角度の第１カムの効用により、加締前の原点位置ではそれぞれの加締爪先端の開き量が一定角のカムと比較して大きく開いているため、ホース金具等の挿入および加締爪の交換が容易に実施でき、又加締め時間が短縮された。次に緩角度の第２カムと爪ホルダー装着のカムフォロアとの組み合わせによって摩擦抵抗が軽減され又、加締推力も大幅に増幅されることにより、油圧ポンプによってもたらされる油圧シリンダーの強力な押圧力を利用せずに、減速機付モータとスクリューナット・スクリュー軸のセットによる推力にて十分に強力な加締め作業が実施できるようになった。
【０００８】
また、爪ホルダーに配設された加締爪の首振り機能によって、加締装置各部の製作時の寸法誤差を吸収できるようになり、その結果として本発明は図―１に示すように小型・軽量で携行に便利であり、加締め後のホース金具寸法の精度と真円度の向上と、油圧機器等を排した結果、省エネルギー・省資源を達成したものである。
【発明を実施するための最良の形態】
【０００９】
以下本発明の構成について添付の図面を参照しながら詳細に説明する。・
第１図は本発明に係る一実施例を示す一部を切り欠いた斜視図、第２〜3図は一部透視斜視図、第４〜７図は要部拡大斜視図、第８〜９図は正面および側面図、第10図〜11図は正面図の一部を示す。
【００１０】
図―1に示すようにベース板４３の奥側端部に立設された加締装置取付け板１のホース金具を通すための貫通孔２６と、これと同心で同径の貫通孔２７を設けその貫通孔２７から放射状に穿設された複数（この実施例では４条）の爪ホルダー案内溝２９と、加締終了後爪ホルダー３の加締前原点復帰用スプリング収納溝３６とを形成し、表側および裏側には加締装置カバー１１および加締装置取付け板１に取付けるためのネジ穴４５（この実施例では表・裏計8箇所）を設けた図―２に示すような爪ホルダー案内盤2をボルトで加締装置取付け板１に固定する。
【００１１】
各爪ホルダー案内溝２９には縮径方向に向かって摺動自在な複数（この実施事例では４本）の図―３に示すような爪ホルダー３と、原点復帰用スプリング7を各別に配設する。
【００１２】
各爪ホルダー３の周方向中央部片側に図―４に示すようなスプリング止め板８が設けられている
各爪ホルダー３は図―３に示すように周方向と平行に複数（この実施例では2箇所）のカムフォロア収納溝48が穿設され、この溝と直角方向にカム固定用孔が穿設され、カムフォロア５がシャフト１０で格別に装着する。
【００１３】
各爪ホルダー３の放射状内側には、その内側のR部形成前の爪ホルダー3を全数爪ホルダー案内盤２に配設氏、カムリング６を篏合載置した後加締め方向最終位置まで回動せしめ、その時点で爪ホルダー案内盤に爪ホルダーを固定しその状態を保ったまま、加締爪４の外側のＲ寸法と同径のＲを加工形成し、また図―３に示すように、そのＲの中央部に加締爪4を配設するための取付け孔３０を設け、その孔の縦方向中央部の直角方向にネジ孔が設けられ、コマ９固定用プランジャー３１を格別に設ける。
【００１４】
各加締爪４には図―６に示すように、爪ホルダー３の放射状内側に設けられた取付け孔３０に脱着自在に配設するための爪用コマ９を格別に設ける。
【００１５】
加締爪に装着されている爪用コマ９は図―８に示すように、フランジ部とコマ部で構成されており、貫通孔２６，２７，２８方向にストレートピンで連結され、その連結されたストレートピンを中心として図―９に示すように加締装置の周方向の左右に加締爪の首振り機能をもたしている。
【００１６】
爪ホルダー案内盤２の外周部には図―１０・１１に示すように、円筒形の内周側に複数（この実施例では４箇所）の２段カム曲線を穿設したカムリング６を篏合載置する。
【００１７】
円筒形の内周側に形成された２段カムとは、加締前の原点位置の爪ホルダー装着のカムフォロア部収納スペースから順に、第１R部から急角度の第1カム部、第2Ｒ部、緩角度の第2カム部、最終の第３R部で構成されている。
【００１８】
それぞれの役割について説明すると、第１R部は原点位置より急角度の第１カム部への移行をスムースにし、第１カム部は爪ホルダーに配設された各加締爪先端間の開き量を確保し、また加締られるホース金具スリーブに加締爪が触れるまでは、加締力を必要としないため加締時間の短縮を計り急速に移動させることを目的として急角度（原点位置における爪ホルダーの摺動方向と直角の仮想垂線に対して５０度〜５９度）に設定、第２R部は急角度の第１カム部から次の緩角度の第２カム部への移行をスムースにする。緩角度（加締終了時の爪ホルダーの摺動方向と直角の仮想垂線に対して０度〜２度）の第２カムには金属製スリーブを圧縮し、ホースと接続金具ニップル等を固着させるために必要とされる加締推力を小さな入力で出力させるため、従来の加締装置よりカム角度を緩く設定してあり、最終の第３R部は２段カムの最終端である。
【００１９】
カムリング６には図―７に示すように動力伝達フランジ２２Ａ、２２Ｂを設ける
この動力伝達フランジ２２Ａ、２２Ｂには後述するスクリューナット用ブラケットを左右に挟む形で２本立設し、スクリューナット用ブラケットに装着してあるローラフォロアと連結するための長孔３２を設ける。
【００２０】
スクリューナット用ブラケット２０には図―７に示すように、左右に動力伝達フランジ２２Ａ，Ｂと連結するためのローラフォロア１８（一部不図示）を各別に設ける。
【００２１】
上述のスクリューナット用ブラケット２０には図―７に示すように、スクリューナット19・スクリュー軸１６のセットを装着する。
【００２２】
スクリュー軸１６のタイミングプーリ１３側の軸端から図―６に示すように、アンギュラスラスト軸受２１を挿入し、ロックナット３４で締付固定する  
上述のスクリューナットブラケット２０からスラストアンギュラ玉軸受２１の一連の装着完了セットを図-7に示すように、動力装置取付け板３８の所定の取付け孔に挿入、固定フランジ３３にて固定した後、スクリュー軸用タイミングプーリ１３を挿入し、回り止めキー４０を挿入し軸端にプーリ抜け落ち防止ワッシャ４１をボルト42止めする。
【００２３】
上述の動力装置取付け板３８を図―１に示すように、ベース板４３とそれに立設する加締装置取付け板１に１部不図示のボルト４６で固定する。その時動力伝達フランジ２２Ａに設けられた長孔へスクリューナットホルダー１９に設けられた不図示のローラフォロアを連結し、その後もう一方のローラフォロア18に動力伝達フランジ２２Bを配設し収まり状態を調整した後、ボルト35で固定する
図―１に示すように、動力装置取付け板３８に設けられたモータ固定位置に減速機付モータ１７を仮置きし、モータ出力軸にタイミングプーリ１５を挿入固定し、上述のスクリュー軸１６に装着されたタイミングプーリ１３とタイミングベルト１４にて連結した後、
タイミングベルト１４の張り具合を調節しつつ減速機付モータ１７をボルト孔４４に不図示のボルトで固定する。
【００２４】
図―１に示すように、上述の動力装置取付け板３８と相対する形でベース板４３とそれに立設する加締装置取付け板１に不図示のボルトでベアリングケース取付け板３９を固定する。
【００２５】
図―５に示すように、上述のベアリングケース取付け板３９のベアリングケース取付け穴２５の中央部に位置しているスクリュー軸１６の軸端に支持ベアリング２３を挿入、その後ベアリングケース２４で保持し無理なく回転動作するように調整し不図示のボルトにて固定する。
【００２６】
図―１に示すように爪ホルダー案内盤２のネジ孔４５に加締装置カバー１１を六角穴付ボルト３７にて固定する。
【００２７】
次に作用を説明する。上記構成において、ホース金具スリーブを加締める場合は以下のようにして行われる。
【００２８】
ホース端部の外側に金属製スリーブを挿入し、次に接続金具ニップルを内径側へ挿入して加締められるホース金具の準備を行った後、本発明の加締装置図−１の貫通穴２６より挿入し、２７の中央部の加締め位置に固定し、減速機付モータに通電することによりモータの回転がタイミングベルト１４によってスクリュー軸に伝わりスクリュー軸の回転がスクリューナットによって推力に変換され、その推力をスクリューナットブラケット２０に装着したローラフォロア１８を通じて動力伝達ブラケット２２Ａ、２２Ｂに伝達され動力伝達ブラケット２２Ａ、２２Ｂが時計回りに回動し同時に動力伝達ブラケット２２Ａ、２２Ｂと継がっているカムリングも同様に回動する。その時カムリングの内周側に穿設した２段カムの動作が爪ホルダーの後端部に装着されたカムフォロアに伝わり、それによって摺動自在な爪ホルダーが内周方向へ前進し、爪ホルダーに配設の加締爪によって金属性スリーブが圧縮され、接続金具ニップルがホースに固着され加締完了となる。尚この時の加締寸法の調整は、回動するカムリングに取付けた不図示のドグと加締装置取付け板に取付けた不図示のリミットスイッチの位置調整によってなされる。その後ドグによるリミットスイッチ入力後はモータ回転が逆転しカムリングが反時計回りに回動することにより、カムも加締動作と逆の動作を起こし加締前の原点位置に回帰し、この時爪ホルダーはカムの押圧から開放され外周方向に付勢するスプリングにより原点位置に復帰することにより加締動作を終了する。
尚この発明は上記実施例のものに限定されず、例えば爪ホルダーおよび加締爪はそれぞれ2〜10個等のいずれでもよく、また汎用モータの代わりにサーボモータ等を採用すれば加締精度の向上および加締寸法の設定および管理は飛躍的に向上し、又スクリュー軸・ナットの代わりにボールネジの採用によりモータの駆動トルクを約１／３に減少するため、省エネルギーが尚一層促進できることになるが、コスト的に高価になることが予想される。
【図面の簡単な説明】
【００２９】
【図１】本発明のホース金具加締め装置の一実施例であり、一部を切り欠いた斜視図である。
【図２】爪ホルダー案内盤の一部透視斜視図、
【図３】爪ホルダーの一部透視斜視図、
【図４】図-1の要部拡大斜視図
【図５】図-1の要部拡大斜視図
【図６】図-1の要部拡大斜視図
【図７】図-1の要部拡大斜視図
【図８】加締爪および爪用コマの正面および側面図
【図９】加締爪および爪用コマの正面および側面図
【図１０】カムリングの一部正面図、
【図１１】カムリングの一部正面図、
【符号の説明】
【００３０】
１ 加締装置取付け板
２ 爪ホルダー案内盤  
３ 爪ホルダー
４ 加締爪
５ カムフォロア  
６ カムリング
９ 爪用コマ
１１ 加締装置カバー  
１３ スクリュー軸用タイミングプーリ
１４ タイミングベルト  
１５ モータ用タイミングプーリ  
１６ スクリュー軸  
１７ 減速機付モータ  
１８ ローラフォロア  
１９ スクリューナット  
２０ スクリューナット用ブラケット  
２２ Ａ・Ｂ動力伝達ブラケット  
３２ ローラフォロア収納長孔
３８ 動力装置取付け板  
３９ ベアリングケース取付け板  
４３ ベース板
【図１】
2009226442.tif 000003
【図２】
2009226442.tif 000004
【図３】
2009226442.tif 000005
【図４】
2009226442.tif 000006
【図５】
2009226442.tif 000007
【図６】
2009226442.tif 000008
【図７】
2009226442.tif 000009
【図８】
2009226442.tif 000010
【図９】
2009226442.tif 000011
【図１０】
2009226442.tif 000012
【図１１】
2009226442.tif 000013